(57)【要約】【課題】簡易に作製でき、取り扱いの容易な冊子を提供することにある。【解決手段】冊子１は、記録ページ２を備えた冊子本体３と、個人情報ページ４とを備えている。印字用シート５は、プリンタによって印刷可能な印刷面６と、この印刷面６の裏面側に形成された粘着剤層８と、粘着剤層８に積層された剥離シート９とを備えており、記録ページ２に貼付可能となっている。このような構成によれば、記録ページ２は全ての利用者に共通の形式のものであるので、まとまった量を簡易かつ安価に作製し、製本しておく等することができる。一方、個人情報ページ４については、あらかじめ自治体に備えられているデータベースから、利用者の氏名・住所等の必要な情報を取り出して、プリンタを用いて印字用シート５に印刷した上で、記録ページ２に貼り付けすればよいから、記入作業の負担を軽減することができる。これにより、冊子の作製にかかる手間とコストを削減することができる。【選択図】　図１
2004136528.tif 000002
【特許請求の範囲】
【請求項１】
複数の利用者に共通の書式を有する汎用ページと、利用者毎に異なる内容が記載される専用ページとを備えた冊子であって、
前記専用ページは、プリンタによって印刷可能な印刷面と、この印刷面の裏面側に形成された粘着剤層とを備えた印字用シートを、前記粘着剤層を介して前記汎用ページに貼付することにより構成されていることを特徴とする冊子。
【請求項２】
複数の利用者に共通の書式を有する汎用ページと、利用者毎に異なる内容が記載される専用ページとを備えた冊子の製造方法であって、
汎用ページを備える冊子本体を作製する工程と、
プリンタによって印刷可能な印刷面と、この印刷面の裏面側に形成された粘着剤層と、前記粘着剤層に積層された剥離シートとを備えた印字用シートにおける前記印刷面に記載内容を印刷する工程と、
前記印字用シートから剥離シートを剥離して、この印字用シートを前記粘着剤層を介して前記汎用ページに貼り付ける工程とを実行することを特徴とする冊子の作製方法。
【請求項３】
複数の利用者に共通の書式を有する汎用ページと、利用者毎に異なる内容が記載される専用ページとを備えた冊子を作製するための冊子作製用キットであって、
汎用ページを備える冊子本体と、
プリンタによって印刷可能な印刷面と、この印刷面の裏面側に形成された粘着剤層と、前記粘着剤層に積層された剥離シートとを備えた印字用シートとを備えることを特徴とする冊子作製用キット。
【請求項４】
前記印字用シートにおいて、前記印刷面には複数の前記専用ページを構成する複数の印字領域が連続して設けられているとともに、
前記粘着剤層は、前記複数の印字領域のうち一の印字領域の裏面側に設けられていることを特徴とする請求項３に記載の冊子作製用キット。
【請求項５】
前記印字用シートにおいて、前記印刷面には複数の前記専用ページを構成する複数の印字領域が連続して設けられているとともに、
前記複数の印字領域の境界線に沿って前記印字用シートを蛇腹状に折り畳むための折り目部が設けられ、
かつ、前記印刷面の裏面側全面に前記粘着剤層および前記剥離シートが設けられていることを特徴とする請求項３に記載の冊子作製用キット。
【請求項６】
前記印字用シートにおいて、前記印刷面には複数の前記専用ページを構成する複数の印字領域が連続して設けられているとともに、
前記複数の印字領域の境界線に沿って前記印字用シートを１ページ毎に分割するための切れ目が設けられていることを特徴とする請求項３に記載の冊子作製用キット。
【請求項７】
前記専用ページが前記汎用ページよりも小さくされていることを特徴とする請求項３〜請求項６のいずれかに記載の冊子作製用キット。
【発明の詳細な説明】
【０００１】
【発明の属する技術分野】
本発明は、冊子、冊子の作製方法、および冊子作製用キットに関する。
【０００２】
【従来の技術】
従来、身体障害者や高齢者等が自治体から給付金や支援サービスを受ける際には、受給者手帳等の冊子が各利用者に配布されることが一般的である。
この冊子は、一般に、最初の数ページが利用者の住所、氏名等の個人情報を記入するための個人情報ページとされ、残りのページは、サービスを受ける度に利用状況等を記録するための記録ページとなっている。
なお、この種の冊子としては、例えば特開平１０−６６６０号公報（特許文献１）に記載されたものがある。
【０００３】
【特許文献１】
特開平１０−６６６０号公報
【０００４】
【発明が解決しようとする課題】
上記のような冊子において、記録ページは、利用状況等を記録するための記録欄が設けられたものであり、全ての利用者に共通の書式のページである。しかし、個人情報ページは、各利用者によってその記載内容が異なる。
【０００５】
このため、このような冊子を作製する際には、例えば▲１▼個人情報ページ用の記入欄と、記録ページ用の記録欄とが印刷された印刷紙片とを綴じ込んで製本することにより冊子を作成し、自治体職員が個人情報ページに各利用者の個人情報を手書きで書き込む方法、▲２▼各利用者の個人情報がプリントされた印刷紙片と、記録ページ用の記録欄が印刷された印刷紙片とを用意しておき、利用者毎にそれぞれの印刷紙片を揃えて綴じ込む方法、等の方法で行っていた。
【０００６】
しかし、このような方法では、冊子の準備のために極めて煩雑な作業が必要となってしまう。特に、多数の利用対象者を抱える大都市では、必要な冊子の量が膨大なものとなるため、作業を効率化したいという要望がある。
【０００７】
本発明は、上記した事情に鑑みてなされたものであり、その目的は、簡易に作製でき、取り扱いの容易な冊子を提供することにある。
【０００８】
【課題を解決するための手段】
上記の課題を解決するために請求項１の発明に係る冊子は、複数の利用者に共通の書式を有する汎用ページと、利用者毎に異なる内容が記載される専用ページとを備えた冊子であって、前記専用ページは、プリンタによって印刷可能な印刷面と、この印刷面の裏面側に形成された粘着剤層とを備えた印字用シートを、前記粘着剤層を介して前記汎用ページに貼付することにより構成されていることを特徴とする。
【０００９】
請求項２の発明は、複数の利用者に共通の書式を有する汎用ページと、利用者毎に異なる内容が記載される専用ページとを備えた冊子の製造方法であって、汎用ページを備える冊子本体を作製する工程と、プリンタによって印刷可能な印刷面と、この印刷面の裏面側に形成された粘着剤層と、前記粘着剤層に積層された剥離シートとを備えた印字用シートにおける前記印刷面に記載内容を印刷する工程と、前記印字用シートから剥離シートを剥離して、この印字用シートを前記粘着剤層を介して前記汎用ページに貼り付ける工程とを実行することを特徴とする。
【００１０】
請求項３の発明は、複数の利用者に共通の書式を有する汎用ページと、利用者毎に異なる内容が記載される専用ページとを備えた冊子を作製するための冊子作製用キットであって、汎用ページを備える冊子本体と、プリンタによって印刷可能な印刷面と、この印刷面の裏面側に形成された粘着剤層と、前記粘着剤層に積層された剥離シートとを備えた印字用シートとを備えることを特徴とする。
【００１１】
請求項４の発明は、請求項３に記載の冊子作製用キットであって、前記印字用シートにおいて、前記印刷面には複数の前記専用ページを構成する複数の印字領域が連続して設けられているとともに、前記粘着剤層は、前記複数の印字領域のうち一の印字領域の裏面側に設けられていることを特徴とする。
【００１２】
請求項５の発明は、請求項３に記載の冊子作製用キットであって、前記印字用シートにおいて、前記印刷面には複数の前記専用ページを構成する複数の印字領域が連続して設けられているとともに、前記複数の印字領域の境界線に沿って前記印字用シートを蛇腹状に折り畳むための折り目部が設けられ、かつ、前記印刷面の裏面側全面に前記粘着剤層および前記剥離シートが設けられていることを特徴とする。
【００１３】
請求項６の発明は、請求項３に記載の冊子作製用キットであって、前記印字用シートにおいて、前記印刷面には複数の前記専用ページを構成する複数の印字領域が連続して設けられているとともに、前記複数の印字領域の境界線に沿って前記印字用シートを１ページ毎に分割するための切れ目が設けられていることを特徴とする。
【００１４】
請求項７の発明は、請求項３〜請求項６のいずれかに記載の冊子作製用キットであって、前記専用ページが前記汎用ページよりも小さくされていることを特徴とする。
【００１５】
【発明の作用及び効果】
請求項１〜請求項３の発明によれば、専用ページは、プリンタによって印刷可能な印刷面と、この印刷面の裏面側に形成された粘着剤層と、粘着剤層に積層された剥離シートとを備え、汎用ページに貼付可能な印字用シートにより構成される。このような構成によれば、汎用ページは全ての利用者に共通の形式のものであるので、まとまった量を簡易かつ安価に作製し、製本しておく等することができる。一方、専用ページについては、記入すべき記入事項をあらかじめデータベース化するなどして、プリンタを用いて印字用シートに印刷し、これを貼り付けすればよいから、記入作業の負担を軽減することができる。これにより、冊子の作製にかかる手間とコストを削減することができる。
【００１６】
請求項４の発明によれば、印字用シートは、複数の専用ページを構成する複数の印字領域が連続して設けられたものであって、粘着剤層および剥離シートは一の印字領域の裏面側に設けられている。このような構成によれば、印字用シートのうち一の印字領域の裏面側を粘着剤層を介して記録ページに貼り付けるとともに、他の印字領域の形成された部分については、折り畳むなどして冊子内に収納すればよい。このように、印字用シートを記録ページに貼り付けるために必要な最低限度の粘着剤層および剥離シートが使用されているので、冊子の作製コストを低減することができる。
【００１７】
請求項５の発明によれば、印字用シートは、折り目部に沿って蛇腹状に折り畳むことが可能とされているとともに、印刷面の裏面側全面に粘着剤層および剥離シートが形成されている。このような構成によれば、隣り合う印字領域同士を背中合わせに貼り付けて専用ページを形成することができるため、冊子を開いた時に専用ページが広がってしまうことがなく、取り扱い易い冊子を提供することができる。
【００１８】
請求項６の発明によれば、印字用シートは、複数の印字領域の境界線に沿って切れ目が設けられることにより１ページ毎に分割可能とされている。このような構成によれば、複数の専用ページのうち一部のページの記載事項にのみ変更が生じた場合などに、全てのページを再印刷して貼り直さなくとも、当該ページ分のみを貼り換えれば済むため、冊子の取り扱いに便利となる。
【００１９】
請求項７の発明によれば、専用ページが汎用ページよりも小さくされている。このような構成によれば、印字用シートを貼り付ける際に、汎用ページに対して少々斜めに傾いたり、位置ずれを起こしたとしても、汎用ページからはみ出してしまうということがない。このため、過度の注意力を要することなく、印字用シートの貼り付け作業を行うことができる。
【００２０】
【発明の実施の形態】
＜第１実施形態＞
以下、本発明の冊子１を具体化した第１実施形態について、図１〜図３を参照しつつ詳細に説明する。
【００２１】
本実施形態の冊子１は、自治体が給付金や支援サービスを提供する際に利用者に配布する受給者手帳であって、記録ページ２（本発明の汎用ページに該当する）を備えた冊子本体３と、個人情報ページ４（本発明の専用ページに該当する）を構成する印字用シート５とを備えている。
【００２２】
冊子本体３は、複数枚の印刷紙片が重ね合わせられ、二つ折りにされた表紙用紙の間に綴じ込まれて、ホッチキス等により固定されたものである。綴じ込まれた各印刷紙片は、冊子１の記録ページ２を構成する。この記録ページ２は、利用者がサービスを受ける度に利用状況等を記録するための記録欄が設けられたものであり、全ての利用者に共通の書式のものである。
【００２３】
一方、印字用シート５は、個人情報ページ４の３ページ分を横方向に連ねた横長の矩形状をなしている。個人情報ページ４は、利用者の住所、氏名等の個人情報を記入するためのページであって、利用者毎に異なる内容が記載されるものである。
【００２４】
印字用シート５の表面は、プリンタによって印刷可能な印刷面６とされている。この印刷面６は、各個人情報ページ４を構成する３つの印字領域６Ａに区切られており、それぞれの印字領域６Ａには、利用者の個人情報を記入するための記入欄があらかじめ設けられている。個人情報ページ４の１ページ分を構成する一の印字領域６Ａの大きさは、記録ページ２よりも一回り小さくされている。また、印字用シート５には、隣り合う印字領域６Ａの境界線に沿って折り目部７が設けられており、この折り目部７に沿って印字用シート５を蛇腹状に折り畳むことができるようになっている。
【００２５】
また、３つの印字領域６Ａのうち最後部の個人情報ページ４に相当する印字領域６Ａ（図１中右端の印字領域６Ａ）の裏面側には、全面に渡って粘着剤層８が設けられている。そして、この粘着剤層８は、剥離シート９によって被覆されている。剥離シート９の端部からやや内側よりの位置には、この剥離シート９を左右２つに分割するスリッター１０が上下方向に渡って設けられている。
【００２６】
この冊子１を作製する際には、まず、記録ページ２を備えた冊子本体３を作製する。この冊子本体３は、全ての利用者に共通の形式のものであるので、簡易かつ安価にまとまった量を作製可能であり、また、あらかじめ大量に作成してストックしておき、必要なときに取り出して使用するといったことが可能なものである。
【００２７】
次に、印字用シート５に利用者の個人情報を記入する。この印字用シート５は、冊子本体３の記録ページ２に貼り付けられて個人情報ページ４となる前の段階では、１枚のシート状をなしており、プリンタに差し込んで印刷を行うことが可能である。したがって、自治体職員は、あらかじめ自治体が所有しているコンピュータ等に保存されているデータベースから利用者の氏名、住所等の情報を取り出し、プリンタを利用して印字用シート５に印刷すればよい。これにより、個人情報を記入する作業を短時間で簡易に行うことができる。
【００２８】
次いで、個人情報が記入された印字用シート５を折り目部７に従って蛇腹状に折り曲げる。そして、剥離シート９を剥がし、印字用シート５を記録ページ２の第１ページに貼り付ける。このとき、まず、スリッター１０によって分割された剥離シート９のうち、小さい方の剥離シート片９Ａを剥がす。そして、粘着剤層８の露出部分を冊子本体３の記録ページ２に位置合わせしつつ宛がって、印字用シート５の端部を記録ページ２の第１ページに貼り付ける。この後、残りの剥離シート片９Ｂを剥がし、ページ全体を記録ページ２に貼り付ける。このようにすれば、位置合わせの際には粘着剤層８の露出部分の広さが必要最小限度となっているので、印字用シート５の取り扱いがしやすく、また、印字用シート５が折れ曲がって粘着剤層８同士が貼り付いてしまうといったトラブルを防ぐことができる。
また、このとき、個人情報ページ４は記録ページ２よりも小さく形成されているので、印字用シート５が記録ページ２に対して斜めに傾いたり、位置ずれを起こしたとしても、記録ページ２からはみ出してしまうということがない。このため、過度の注意力を要することなく印字用シート５の記録ページ２への貼り付け作業を行うことができる。
このようにして、冊子１が完成される。
【００２９】
なお、本冊子１においては、印刷済みの印字用シート５を冊子本体３とともに利用者に手渡し、利用者自身で冊子本体３への貼り付けを行ってもらうということも可能である。この場合においても、個人情報ページ４が記録ページ２よりも小さく形成されていることにより、個人情報ページ４が冊子本体３からはみ出すことがないようにされているため、利用者に過度の負担を強いることなく印字用シート５の記録ページ２への貼り付け作業を行ってもらうことができる。
【００３０】
以上のように本実施形態によれば、個人情報ページ４は、プリンタによって印刷可能な印字用シート５により構成されている。このような構成によれば、記録ページ２は全ての利用者に共通の形式のものであるので、まとまった量を簡易かつ安価に作製し、製本しておく等することができる。一方、個人情報ページ４については、あらかじめ自治体に備えられているデータベースから、利用者の氏名・住所等の必要な情報を取り出して、プリンタを用いて印字用シート５に印刷した上で、記録ページ２に貼り付けすればよいから、記入作業の負担を軽減することができる。これにより、冊子の作製にかかる手間とコストを削減することができる。
【００３１】
また、印字用シート５において粘着剤層８および剥離シート９は、最後部の個人情報ページ４に相当する印字領域６Ａの裏面側に設けられている。このように、印字用シート５を記録ページ２に貼り付けるために必要な最低限度の粘着剤層８および剥離シート９が使用されているので、冊子１の作製コストを低減することができる。
【００３２】
さらに、個人情報ページ４は記録ページ２よりも小さくされている。このような構成によれば、印字用シート５を貼り付ける際に、記録ページ２に対して少々斜めに傾いたり、位置ずれを起こしたとしても、記録ページ２からはみ出してしまうということがない。このため、過度の注意力を要することなく、印字用シート５の貼り付け作業を行うことができる。
【００３３】
＜第２実施形態＞
以下、本発明の第２実施形態について、図４〜図６を参照しつつ詳細に説明する。
【００３４】
本実施形態の冊子１１の第１実施形態との相違点は、印字用シート１５における印刷面１６の裏面側全面に渡って粘着剤層１８が形成され、剥離シート１９が積層されている点である（図５参照）。なお、本実施形態において、第１実施形態と同様の構成には同一の符号を付して説明を省略する。
【００３５】
本実施形態の印字用シート１５は、第１実施形態と同様に個人情報ページ１４の３ページ分を横方向に連ねた横長の矩形状をなしている。印字用シート１５の表面は、プリンタによって印刷可能な印刷面１６とされており、この印刷面１６は、各個人情報ページ１４を構成する３つの印字領域１６Ａに区切られている。この印字用シート１５には、隣り合う印字領域１６Ａの境界線に沿って折り目部１７が設けられており、この折り目部１７に沿って印字用シート１５を蛇腹状に折り畳むことができるようになっている。また、印刷面１６の裏面側には、全面に渡って粘着剤層１８が形成され、剥離シート１９が積層されている。
【００３６】
この冊子１１を作製する際には、第１実施形態と同様に記録ページ２を備えた冊子本体３を作製し、印字用シート１５に利用者の個人情報を印刷する。
【００３７】
次いで、個人情報が記入された印字用シート１５を折り目部１７に従って蛇腹状に折り曲げる（図６参照）。そして、剥離シート１９を剥がし、個人情報ページ１４の第１ページと第２ページに相当する印字領域１６Ａ（図５中左端および中央の印字領域１６Ａ）を重ね合わせて、両者を背中合わせに貼り合わせる。同時に、個人情報ページ１４の第３ページに相当する印字領域１６Ａ（図５中右端の印字領域６Ａ）の裏面側の粘着剤層１８を冊子本体３の記録ページ２に宛がって、印字用シート１５を記録ページ２に貼り付ける。
このようにして、冊子１が完成される。
【００３８】
以上のように本実施形態によれば、第１実施形態と同様に、冊子１１の作製を簡易に行うことができる。また、印字用シート１５は、折り目部１７に沿って蛇腹状に折り畳むことが可能とされているとともに、印刷面１６の裏面側全面に粘着剤層１８および剥離シート１９が形成されている。このような構成によれば、隣り合う印字領域１６Ａ同士を背中合わせに貼り付けて個人情報ページ１４を形成することができるため、冊子１１を開いた時に個人情報ページ１４が広がってしまうことがなく、取り扱い易い冊子１１を提供することができる。
【００３９】
＜第３実施形態＞
以下、本発明の第３実施形態について、図７〜図９を参照しつつ詳細に説明する。
【００４０】
本実施形態の冊子２１における上記実施形態との相違点は、印字用シート２５において隣り合う印字領域２６Ａの境界線に沿ってミシン目２７（本発明の切れ目に該当する）が設けられており、このミシン目２７に沿って印字用シート２５を１ページ毎に切り離すことができるようになっている点である。なお、本実施形態において、第１実施形態と同様の構成には同一の符号を付して説明を省略する。
【００４１】
本実施形態の印字用シート２５は、第１実施形態と同様に個人情報ページ２４の３ページ分を横方向に連ねた横長の矩形状をなしている。印字用シート２５の表面は、プリンタによって印刷可能な印刷面２６とされており、この印刷面２６は、各個人情報ページ２４を構成する３つの印字領域２６Ａに区切られている。この印字用シート２５には、隣り合う印字領域２６Ａの境界線に沿ってミシン目２７が設けられており、このミシン目２７に沿って印字用シート２５を１ページ毎に切り離すことができるようになっている。また、印刷面２６の裏面側には、全面に渡って粘着剤層２８が形成され、剥離シート２９が積層されている。
【００４２】
この冊子２１を作製する際には、第１実施形態と同様に記録ページ２を備えた冊子本体３を作製し、印字用シート２５に利用者の個人情報を印刷する。
【００４３】
次いで、個人情報が記入された印字用シート２５をミシン目２７に従ってページ毎に切り離す。そして、剥離シート２９を剥がし、粘着剤層２８を冊子本体３の記録ページ２２に宛がって、印字用シート１５を記録ページ２に貼り付ける。各個人情報ページ２４を、冊子本体３の記録ページ２における第１ページ、第２ページ、第３ページに貼り付ける。
このようにして、冊子１が完成される。
【００４４】
以上のように本実施形態によれば、上記各実施形態と同様に、冊子２１の作製を簡易に行うことができる。また、印字用シート２５は、複数の印字領域２６Ａの境界線に沿ってミシン目２７が設けられることにより１ページ毎に分割可能とされている。このような構成によれば、複数の個人情報ページ２４のうち一部のページの記載事項にのみ変更が生じた場合などに、全てのページを再印刷して貼り直さなくとも、当該ページ分のみを貼り換えれば済むため、冊子２１の取り扱いに便利となる。
【００４５】
本発明の技術的範囲は、上記した実施形態によって限定されるものではなく、例えば、次に記載するようなものも本発明の技術的範囲に含まれる。その他、本発明の技術的範囲は、均等の範囲にまで及ぶものである。
（１）上記各実施形態では、個人情報ページ４、１４、２４が３ページであるが、本発明によれば専用ページのページ数は上記実施形態の限りではなく、１ページ、２ページ、もしくは４ページ以上であってもよい。
（２）上記各実施形態では、記録ページ２の第１ページに印字用シート５、１５、２５が貼り付けられるようになっていたが、本発明によれば、印字用シートの貼り付け位置には特に制限はなく、例えば汎用ページの最終ページに貼り付けられても構わない。
（３）第１実施形態では、印字用シート５において粘着剤層８および剥離シート９は、最後部の個人情報ページ４に相当する印字領域６Ａの裏面側に設けられているが、本発明によれば、粘着剤層および剥離シートを設ける位置は上記実施形態の限りではなく、例えば最前部の印字領域の裏面側に設けられていてもよく、真中の印字領域の裏面側に設けられていてもよい。
（４）第１実施形態では、スリッター１０は剥離シート９の上下方向に渡って設けられていたが、スリッターは剥離シートを上下方向に分割するように、左右方向に渡って設けられていても構わない。
【図面の簡単な説明】
【図１】第１実施形態における冊子の斜視図
【図２】第１実施形態における印字用シートの正面図
【図３】第１実施形態における印字用シートの裏面図
【図４】第２実施形態における冊子の斜視図
【図５】第２実施形態における印字用シートの正面図
【図６】第２実施形態における印字用シートを貼り付ける様子を示す図
【図７】第３実施形態における冊子の斜視図
【図８】第３実施形態における印字用シートの正面図
【図９】第３実施形態における印字用シートを１ページ毎に切り離して貼り付ける様子を示す図
【符号の説明】
１、１１、２１…冊子
２…記録ページ（汎用ページ）
３…冊子本体
４、１４、２４…個人情報ページ（専用ページ）
５、１５、２５…印字用シート
６、１６、２６…印刷面
６Ａ、１６Ａ、２６Ａ…印字領域
７、１７…折り目部
８、１８、２８…粘着剤層
９、１９、２９…剥離シート
２７…ミシン目（切れ目）
【図１】
2004136528.tif 000003
【図２】
2004136528.tif 000004
【図３】
2004136528.tif 000005
【図４】
2004136528.tif 000006
【図５】
2004136528.tif 000007
【図６】
2004136528.tif 000008
【図７】
2004136528.tif 000009
【図８】
2004136528.tif 000010
【図９】
2004136528.tif 000011